(57)【要約】【課題】多数の洗濯ばさみの挟持部を同時に開くことができる洗濯物干しハンガー提供する。【解決手段】一方の作用部７ａの上部に、一方の作用部７ａに対して回転可能な案内部材１３を設け、該案内部材１３は、支持枠２側と一方の作用部７ａ側に開口部を有するとともに、両開口部を連通する通路を有し、引張部材１６を、その一端部を、他方の作用部７ｂに取付け、その他方を作用部７ａに設けた挿通孔と、前記通路に挿通して設け、洗濯ばさみ３を支持枠２に対して吊下げる吊下部材１７を有し、引張部材１６の一端部を、支持枠２方向に移動させる牽引手段により、引張部材１６の一端部を支持枠２方向に移動させると、前記吊下部材１７と洗濯ばさみ３との係合が解除されるとともに、案内部材１３が支持枠２方向に移動して、挟持部６，６が開く。【選択図】  図５
2013034711.tif 000002
【特許請求の範囲】
【請求項１】
開閉軸を中心として開閉し、洗濯物を挟持する一対の挟持部と、閉じることにより前記挟持部を開く一対の作用部と、前記挟持部を閉方向に付勢する付勢部材と、を有する洗濯ばさみを複数個支持枠に対して吊下げた洗濯物干しハンガーであって、
一方の作用部の上部に、一方の作用部に対して回転可能な案内部材を設け、該案内部材は、支持枠側と一方の作用部側に開口部を有するとともに、両開口部を連通する通路を有し、
引張部材を、その一端部を、前記他方の作用部に取付け、その他方を一方の作用部の上部に設けた挿通孔と、前記案内部材の通路に挿通して設け、
前記洗濯ばさみに洗濯物を干す際には、洗濯ばさみと係合し、洗濯ばさみを支持枠に対して吊下げる吊下部材を有し、
前記引張部材の一端部を、前記支持枠方向に移動させる牽引手段を有し、
前記牽引手段により、前記引張部材の一端部を支持枠方向に移動させると、前記吊下部材と洗濯ばさみとの係合が解除されるとともに、前記案内部材が前記支持枠方向に移動し、前記案内部材が、前記支持枠に当接した後も、更に、前記牽引手段により、前記引張部材の一端部を支持枠方向に移動させると、前記挟持部が開くことを特徴とする洗濯物干しハンガー。
【請求項２】
前記通路には、この通路方向と直交する軸を中心として回転可能な回転体が設けられていることを特徴とする請求項１記載の洗濯物干しハンガー。
【請求項３】
前記取外し具は、前記牽引手段に係止し、
前記取外し具を閉じることにより、前記引張部材の一端部を、支持枠方向に移動させて、前記挟持部が開くことを特徴とする請求項１又は２記載の洗濯物干しハンガー。
【発明の詳細な説明】
【技術分野】
【０００１】
本発明は、洗濯物干しハンガーに関する。
【背景技術】
【０００２】
従来、洗濯物干しハンガーに掛けた複数の洗濯物を、その取り込む際に、一度に取外すことができる洗濯物干しハンガーとして下記のものが知られている。
【０００３】
例えば、洗濯物干しハンガーは、フレームと、該フレームとの間隔を変えることができる移動可能な多数の洗濯ばさみと、を有し、該洗濯ばさみは、洗濯物を挟持する一対の挟持部と、該挟持部を開閉するための一対の作用部と、前記挟持部を閉じる方向に付勢するバネ材を有している。前記各洗濯ばさみには、その一方の作用部に固定し、他方の作用部に設けた貫通穴に挿通する牽引紐を設け、各洗濯ばさみの牽引紐は、フレームに設けた取付穴に挿通した後にレバーに集結されている。そして、このレバーを手で動かすと、多数の洗濯ばさみがフレーム方向に移動して、夫々の他方の作用部がフレーム等に当接し、更にレバーを動かして牽引紐を引くと、各洗濯ばさみの両作用部が閉じて、挟持部が開き、多数の洗濯ばさみから同時に洗濯物が外れるものが知られている（例えば、特許文献１参照）。
【先行技術文献】
【特許文献】
【０００４】
【特許文献１】特開２００６−３４０９４７号公報
【発明の開示】
【発明が解決しようとする課題】
【０００５】
前記従来技術の洗濯物干しハンガーは、各洗濯ばさみを開閉するための牽引紐が、フレームに対して洗濯ばさみを吊下げる吊下紐を兼用しているため、洗濯ばさみに重たい洗濯物を吊下げると、洗濯ばさみが下方に引っ張られることにより、牽引紐により両作用部の上端が狭まり、挟持部が開き洗濯物が落下してしまうという問題点がある。
【０００６】
更に、洗濯ばさみに対して吊下げる洗濯物との位置関係により、洗濯ばさみが横方向に向いている場合には、牽引紐により洗濯ばさみを良好に移動できないことがある。
【０００７】
そこで、本発明は、前記問題点を解決した洗濯物干しハンガー提供することを目的とするものである。
【課題を解決するための手段】
【０００８】
前記の課題を解決するために、請求項１記載の発明は、開閉軸を中心として開閉し、洗濯物を挟持する一対の挟持部と、閉じることにより前記挟持部を開く一対の作用部と、前記挟持部を閉方向に付勢する付勢部材と、を有する洗濯ばさみを複数個支持枠に対して吊下げた洗濯物干しハンガーであって、
一方の作用部の上部に、一方の作用部に対して回転可能な案内部材を設け、該案内部材は、支持枠側と一方の作用部側に開口部を有するとともに、両開口部を連通する通路を有し、
引張部材を、その一端部を、前記他方の作用部に取付け、その他方を一方の作用部の上部に設けた挿通孔と、前記案内部材の通路に挿通して設け、
前記洗濯ばさみに洗濯物を干す際には、洗濯ばさみと係合し、洗濯ばさみを支持枠に対して吊下げる吊下部材を有し、
前記引張部材の一端部を、前記支持枠方向に移動させる牽引手段を有し、
前記牽引手段により、前記引張部材の一端部を支持枠方向に移動させると、前記吊下部材と洗濯ばさみとの係合が解除されるとともに、前記案内部材が前記支持枠方向に移動し、前記案内部材が、前記支持枠に当接した後も、更に、前記牽引手段により、前記引張部材の一端部を支持枠方向に移動させると、前記挟持部が開くことを特徴とするものである。
【０００９】
請求項２記載の発明は、請求項１記載の発明において、前記通路には、この通路方向と直交する軸を中心として回転可能な回転体が設けられていることを特徴とするものである。
【００１０】
請求項３記載の発明は、請求項１又は２記載の発明において、前記取外し具は、前記牽引手段に係止し、
前記取外し具を閉じることにより、前記引張部材の一端部を、支持枠方向に移動させて、前記挟持部が開くことを特徴とするものである。
【発明の効果】
【００１１】
本発明によれば、洗濯物を外す場合には、吊下げ部材と洗濯ばさみの係合状態が解除されて、牽引手段により引張部材が移動し、洗濯ばさみが開くことができ、洗濯ばさみに洗濯物を干している状態では、洗濯物の荷重は吊下部材にかかるため、前記従来技術のように、洗濯物の重みで、洗濯ばさみから洗濯物が外れる虞がない。
【００１２】
また、支持枠側と一方の作用部側に開口部を有するとともに、両開口部を連通する通路を有する案内部材を回動可能に設けたことにより、開口部を、常に、支持枠方向に向けることが出来、引張部材の方向が一定となり、引張部材と他の部材との干渉を抑制し、引張部材を良好に移動させ、確実に洗濯物を洗濯ばさみから取外すことができる。
【図面の簡単な説明】
【００１３】
【図１】本発明の実施例１に係る洗濯物干しハンガーの斜視図で、フックを外した状態の図。
【図２】図１のＧ−Ｇ線部分断面図。
【図３】図１の状態から、蓋体を取外した状態の上面図。
【図４】図３の斜視図。
【図５】図２の拡大部分断面図で、洗濯ばさみを閉じた状態を示す図。
【図６】図５のＸ−Ｘ線端面図。
【図７】図５の部分拡大断面図。
【図８】図７のＹ−Ｙ線断面図
【図９】図５の状態から、洗濯ばさみを支持枠方向に移動させた状態を示す拡大部分断面図。
【図１０】図９の状態から、牽引手段により引張部材の一端部を移動させて、洗濯ばさみを開いた状態を示す拡大部分断面図。
【図１１】本発明の実施例２に係る洗濯物干しハンガーの部分側断面図。
【発明を実施するための形態】
【００１４】
本発明を実施するための形態を図に基づいて説明する。
［実施例１］
図１乃至図１０は、本発明の実施例１を示す。
【００１５】
図１は、フック１０を外した状態の洗濯物干しハンガー１の斜視図である。以下において、図２の上方を上Ａ、下方を下Ｂとし、図２の右側を右Ｃ、左側を左Ｄ、図３の下方を前Ｅ、上方を後Ｆとして説明する。
【００１６】
洗濯物干しハンガー１は、図２，４に示すように、支持枠２を有し、該支持枠２から下方に多数の洗濯ばさみ３が吊下げられている。吊下げる洗濯ばさみ３の数は、任意に設定することができるが、本実施例においては４０個設けた。
【００１７】
前記洗濯ばさみ３は、図５に示すように、開閉軸４と、該開閉軸４を中心に開閉可能な一対の挟持部材５，５を有し、該挟持部材５は樹脂で成形されている。各挟持部材５は、その下端部に洗濯物等を挟持する挟持部６が形成され、前記各挟持部材５における前記開閉軸４よりも上方には、夫々作用部７ａ，７ｂが形成されている。該作用部７ａ，７ｂは、図５に示すように、挟持部６，６が閉じた状態において、上方Ａに向うほど、外側方向に拡がるように形成され、図５に示すように作用部７ａ，７ｂを開いたとき挟持部６，６が閉じ、図１０に示すように作用部７ａ，７ｂを閉じたとき挟持部６，６が開くようになっている。
【００１８】
前記挟持部材５，５には、挟持部６，６を閉方向に付勢する付勢部材８が設けられている。該付勢部材８は、挟持部６，６を閉方向に付勢することができれば任意の部材を用いることが出来、例えば、鋼線、バネ材、ゴム材等を用いることが出来、本実施例では、円弧状の鋼線を用いた。
【００１９】
前記一方の作用部７ａの上端部には、図６〜８に示すように、開閉方向（左右方向）に貫通する貫通穴１２が形成されている。該貫通穴１２には、図７，８に示すように、案内部材１３の係止部１３ａが、スナップフィット等により回転可能に設けられている。この案内部材１３は、前記開閉軸４に対して直交な軸を中心として回転可能であれば、任意の形状に形成し、本実施例においては、案内部材１３の外形を略球状に形成した。
【００２０】
前記案内部材１３は、図７，８に示すように、支持枠２側と一方の作用部７ａ側に開口部１３ｂ，１３ｃを有し、両開口部１３ｂ，１３ｃを連通する通路１４が形成されている。
【００２１】
前記通路１４内には、前記通路１４方向と直交する回転軸１５ａを中心として回転可能な回転体１５が設けられている。前記回転体１５は、回転軸１５ａを中心として回転可能であれば、球状、円柱状等任意の形状とすることができ、本実施例においては、円筒状に形成した。
【００２２】
引張部材１６が、前記通路１４及び貫通穴１２内に挿通され、その一端部が、前記他方の作用部７ｂに固定され、その他端は、後述する穴３４に挿通されて、ケース２１の溝３３内の牽引線材２２に連結されている。
【００２３】
前記支持枠２の下面には、吊下部材１７の上端が揺動可能に取り付けられている。本実施例においては、フック１８を支持枠２の下面に取り付け、該フック１８に吊下部材１７を引掛けて取り付けた。吊下部材１７は、図６，７に示すように、少なくとも、支持枠２と反対側端部に長穴１７ａが形成され、該長穴１７ａ内に前記付勢部材８が挿通され、吊下部材１７に対して、洗濯ばさみ３が移動できるようになっている。なお、長穴１７ａ内には、付勢部材８に限定されず、洗濯ばさみ３の一部が挿通されていれば良い。
【００２４】
また、前記吊下部材１７の長穴１７ａの下端と付勢部材８とが係合している状態においては洗濯ばさみ３、および、洗濯ばさみ３に干した洗濯物の荷重は吊下部材１７にかかり、引張部材１６は撓んでおり、引張部材１６に洗濯ばさみ３の荷重はかかっていない。
【００２５】
前記支持枠２は、ケース２１と蓋体２３とで構成されている。前記ケース２１は、図２〜４に示すように、左側ケース２１ａと右側ケース２１ｂを有し、左右ケース２１ａ，２１ｂは回転軸２５で連結されている。ケース２１は、図２〜４に示す状態から、回転軸２５を中心としてケース２１の左右方向（Ｃ−Ｄ方向）の中央が上Ａ方に、ケース２１の両端部が下Ｂ方に向って回動することにより、ケース２１を折り畳むことができるようになっている。また、左右のケース２１ａ，２１ｂは、図２〜４に示すように、後述する棧３０，３０のストッパー部３０ａ，３０ａが当接して、略水平となる状態を保持することができるようになっている。
【００２６】
左右ケース２１ａ，２１ｂは、夫々に左右方向（Ｃ−Ｄ方向）に並行して設けられた４本の主枠２７を有している。左側ケース２１ａの４本の主枠２７の外側端部（左Ｃ側端部）は、側枠２８で連結されている。右側ケース２１ｂの４本の主枠２７の外側端部（右Ｄ側端部）は、側枠２８で連結されている。左側ケース２１ａの４本の主枠２７のうち、図３の前Ｅ側２本の主枠２７，２７相互と、後Ｆ側２本の主枠２７，２７相互は、左右方向（Ｃ−Ｄ方向）の中央側端部において夫々棧３０で連結され、右側ケース２１ｂの４本の主枠２７のうち、前Ｅ側２本の主枠２７，２７相互と、後Ｆ側２本の主枠２７，２７相互は、左右方向（Ｃ−Ｄ方向）の中央側端部において夫々棧３０で連結され、隣接する主枠２７，２７間には、補強部材３１が設けられている。左側ケース２１ａの前後方向（Ｅ−Ｆ方向）の中央部の補強部材３１と、右側ケースの２１ｂの前後方向（Ｅ−Ｆ方向）の中央部の補強部材３１との間隔は、両ケース２１ａと２１ｂが略水平となった状態において、所定量離間するように形成され、支持枠２の中央部に、使用者の手を挿入することができる空間３５が形成されている。
【００２７】
前記各主枠２７は、図２〜６に示すように、断面が略方形で長尺に形成され、その長手方向が左右方向（Ｃ−Ｄ方向）に位置するように設けられている。夫々の主枠２７の中央側端部には上Ａ側部と前後Ｅ、Ｆ側部が開口し、左右方向（Ｃ−Ｄ方向）及び下面が閉塞する切欠き３２が形成されている。また、夫々の主枠２７には、その上Ａ面のみが開口する溝３３が長手方向に形成され、溝３３の中央側端は切欠き３２と連通し、溝３３の外側端部は閉塞している。
【００２８】
また、前記主枠２７の長手方向（Ｃ−Ｄ方向）には、図２に示すように、溝３３の底面と、主枠２７の下面とを連通する穴３４が、適宜間隔を有して複数設けられている。この穴３４の個数、及びその間隔は任意に設定し、本実施例においては、穴３４を、５個、長手方向に略等間隔となるように設けた。
【００２９】
前記溝３３内には、ワイヤ等の鋼線などからなる牽引線材２２が、左右方向（Ｃ−Ｄ方向）に移動可能に設けられ、その左右方向の外側端は、最も外側に位置する穴３４より外側に位置し、その左右方向の中央側端は、引手部材３８に連結されている。
【００３０】
牽引線材２２の外側端部と、溝３３の左右方向の外側端面との間には、圧縮コイルスプリング等の付勢部材３６が設けられ、該付勢部材３６により、牽引線材２２は左右方向の外側方向に付勢されている。この牽引線材２２には、前記夫々の吊下紐１５の上端が固定されている。前記左側ケース２１ａにおける前後方向の４個の切欠き３２に亘って、棒状の引手部材３８が、切欠き３２の左右方向（長手方向）に移動可能に設けられ、前記右側ケース２１ｂにおける前後方向の４個の切欠き３２に亘って、棒状の引手部材３８が、切欠き３２の左右方向（長手方向）移動可能に設けられている。また、各切欠き３２の底面には、案内溝３２ａが左右方向に形成され、該案内溝３２ａには、前記引手部材３８の下部から下側方向に突出する凸部３８ａが摺動可能に係合している。
【００３１】
前記溝３３の下部における穴３４の近傍でかつ、引手部材３８側には、前後方向（Ｅ−Ｆ方向）を回転軸とする回転体３７が設けられ、この回転体１７の上部は、前記牽引線材２２に当接している。該回転体３７は、回転軸を中心として回転可能であれば、球状、円柱状等任意の形状とすることができ、本実施例においては、円筒状に形成した。
【００３２】
前記の構成により、空間３５内には、左右の引手部材３８，３８が、その相互の間隔を拡縮可能に設けられている。
【００３３】
前記ケース２１の上部には前記蓋体２３が、ネジ（図示しない）等の適宜連結手段により固設されている。この蓋体２３により、前記切欠き３２と溝３３の上面は覆われ、引手部材３８は、ケース２１と蓋体２３により、その左右方向が摺動可能に上下を挟持され、その切欠き３２の方向、すなわち、左右方向（Ｃ−Ｄ方向）のみ移動することができるようになっている。
【００３４】
前記ケース２１の４隅には固定部３９が設けられ、該固定部３９に対して吊り紐１１の一端が、回動可能に連結され、吊り紐１１の他端には、回動可能にフック１０が設けられている。
【００３５】
前記引手部材３８と、牽引線材２２により牽引手段４２を構成している。
次に、洗濯物干しハンガー１に干した洗濯物の取外し方法について説明する。
【００３６】
洗濯物干しハンガー１の支持枠２を、図１，２に示すように、左右に開き、複数の洗濯ばさみ３に洗濯物が干されている状態においては、図５，６に示すように、洗濯ばさみ３は、吊下部材１７の長穴１７ａの下端に当接し、吊下部材１７と洗濯ばさみ３とは係合し、干した洗濯物の荷重は吊下部材１７にかかり、引張部材１６にはかかっていない。
【００３７】
前記の状態において、前記空間３５内に使用者の手を挿入し、引手部材３８，３８を、各付勢部材３６の付勢力に抗して、切欠き３２に沿って左右方向の中央方向（図３のＸ方向）に引いて相互間を縮めると、溝３３内の各牽引線材２２が左右方向の中央側に引かれて、牽引線材２２が、回転体３７を回転させながら移動する。
【００３８】
この牽引線材２２の移動により、該牽引線材２２に連結された引張部材１６の他端が、図５の状態から左右方向（Ｃ−Ｄ方向）の中央側に引かれ、図９に示すように、洗濯ばさみ３が支持枠２方向に移動する。そして、案内部材１３の上端が、支持枠２の下面に当接すると、洗濯ばさみ３と吊下部材１７の係合が解除され、洗濯ばさみ３及び洗濯物の荷重は、引張部材１６にかかる。
【００３９】
図９の状態から、更に、引手部材３８を中央側に移動させると、図１０に示すように、引張部材１６により、他方の作用部７ｂが一方の作用部７ａ方向に引っ張られて、作用部７ａ，７ｂは徐々に閉じ、一対の挟持部６，６は徐々に開いて、洗濯物が洗濯ばさみ３から下方に落下して、取外すことができる。
【００４０】
このように、左右の引手部材３８，３８を引くことで、全ての洗濯ばさみ３の挟持部６，６を開き、洗濯物を一度に取外すことができる。
【００４１】
更に、洗濯物を取外した後に、両引手部材３８，３８から手を離すと、各付勢部材３６により、各牽引線材２２が左右方向の外側方向に移動するとともに、吊下紐１５と洗濯ばさみ３は下方に移動し、付勢部材８により作用部７、７が開いて、洗濯ばさみ３の挟持部６，６は閉じる。
【００４２】
前記引張部材１６が回転体１５に当接しているため、引張部材１６が移動する際には、回転体１５が回転し、引張部材１６の移動時の摩擦力を小さくできる。
【００４３】
また、各洗濯ばさみ３の作用部７ａ，７ｂを、手操作で閉じることにより、挟持部６，６を開け、任意の洗濯ばさみ３に洗濯物を吊下げることができる。
【００４４】
また、案内部材１３が、一方の作用部７ａに対して回転することができるために、洗濯物を干す際に、例えば、洗濯ばさみ３の挟持部材５が左右方向に向くようにした場合においても、案内部材１３が回動して、その開口部１３ｂが常に支持枠２方向に位置することができるために、洗濯ばさみ３がどのような角度に向いていたとしても、開口部１３ｂを支持枠２方向に向き、引張部材１６が吊下部材１７等と干渉することなく、常に、牽引手段４２により引張部材１６を良好に引っ張ることが出来、安定して洗濯物を取外すことができる。
【００４５】
なお、牽引手段４２は、引張部材１６の一端を支持枠２（上側）方向に移動させて、洗濯ばさみ３を支持枠２に当接させた後も、更に、引張部材１６の一端を支持枠２（上側）方向に移動させることができれば、任意の構造とすることができる。
【００４６】
例えば、牽引線材２２により、複数の引張部材１６の上端を左右方向（Ｃ−Ｄ方向）に移動させるのではなく、複数の引張部材１６の上端を連結した牽引線材２２を上Ａ方に移動させることにより、引張部材１６を支持枠２方向に移動させて、洗濯ばさみ３を支持枠２方向に移動させるようにしてもよい。
また、回転体１５は回転することなく、通路１４内に固設してもよい。
【００４７】
［実施例２］
図１１は実施例２を示す。
【００４８】
本実施例２は、前記実施例１における左右の引手部材３８，３８間に、Ｘ字状の取外し具５０を設けたものである。
【００４９】
該取外し具５０は、図１１に示すように、一対の構成部材５１，５１を有し、両構成部材５１と５１は、回転軸５２を中心として、回動可能にＸ字状に連結されている。回転軸５２は、前記引手部材３８の中心軸と略並行に設けられている。前記両構成部材５１，１５の上端部５３は略円状に形成され、引手部材３８，３８に対して、その中心軸を中心として回転可能に連結されている。
【００５０】
前記構成部材５１，５１の下端部５４，５４を閉じることにより、左右の引手部材３８と３８は、切欠き３２に沿って、中心方向に移動し、多数の洗濯ばさみの挟持部を一度に開き、洗濯物を一度に取外すことができる。
【００５１】
その他の構造は前記実施例１と同様であるため、その説明を省略する。
本実施例２においても前記実施例１と同様の効果を奏する。
【００５２】
本実施例２は、前記取外し具５０を設けたことにより、前記実施例１よりも容易に左右の引手部材３８と３８を、左右方向の中央側に移動させて、容易に洗濯物を取外すことができる。
【符号の説明】
【００５３】
１  洗濯物干しハンガー
２  支持枠
３  洗濯ばさみ
４  開閉軸
６  挟持部
７  作用部
８  付勢部材
１３  案内部材
１５  回転体
１６  引張部材
４１  牽引手段
５０  取外し具
【図１】
2013034711.tif 000003
【図２】
2013034711.tif 000004
【図３】
2013034711.tif 000005
【図４】
2013034711.tif 000006
【図５】
2013034711.tif 000007
【図６】
2013034711.tif 000008
【図７】
2013034711.tif 000009
【図８】
2013034711.tif 000010
【図９】
2013034711.tif 000011
【図１０】
2013034711.tif 000012
【図１１】
2013034711.tif 000013